(57)【要約】【課題】コネクタカバーの操作性を向上することができる電子機器を提供する。【解決手段】デジタルカメラにおいて、１は外部機器と通信を行う際にケーブル等の外部接続端子を接続するコネクタであり、２はコネクタ１の開口部１ａを保護するコネクタカバーであり、４はデジタルカメラに関してコネクタカバー２を進退可能にガイドするガイド部材である。４ｂは、ガイド部材４内部に略水平方向に形成され、後述する軸部材２ａ及び腕部２ｃが挿入されるガイド溝であり、４ａはコネクタカバー２と係合することによりコネクタカバー２の回動を規制する回動規制面である。【選択図】図２
2008277052.tif 000002
【特許請求の範囲】
【請求項１】
外部接続端子を接続するコネクタを有する電子機器において、
前記コネクタの開口部を保護するコネクタカバーと、前記電子機器に関して前記コネクタカバーを進退可能にガイドするガイド部材を備え、
前記ガイド部材は、前記コネクタカバーと係合することにより前記コネクタカバーの回動を規制する回動規制面を有することを特徴とする電子機器。
【請求項２】
前記コネクタカバーは、前記コネクタの前記開口部をカバーするカバー本体と、前記カバー本体に略直角に取り付けられ、前記電子機器から引き出される方向に延出する軸部材と、前記軸部材と一体的に設けられ、前記軸部材の引き出し方向に関して略直角方向に延出する腕部とを有し、
前記ガイド部材は、前記コネクタカバーが引き出された際に、前記腕部が前記回動規制面を摺動することにより、前記軸部材に関して所定量回動することを特徴とする請求項１記載の電子機器。
【請求項３】
前記ガイド部材は、前記軸部材及び前記腕部が挿入される溝部を有し、
前記回動規制面は、前記溝部の内周面に形成され前記軸部材に関して対称となるように形成された一対のテーパ面を有することを特徴とする請求項２記載の電子機器。
【請求項４】
前記一対のテーパ面は、前記コネクタカバーが引き出される際に、前記外部接続端子が装着可能となる角度まで前記コネクタカバーを回動するように形成されることを特徴とする請求項３記載の電子機器。
【請求項５】
前記コネクタカバーの重心は、前記コネクタカバーを引き出した際に前記軸部材を中心として前記コネクタカバーが自重により回動する位置に配置されることを特徴とする請求項１又は２記載の電子機器。
【請求項６】
前記コネクタカバーは、前記軸部材を中心として前記コネクタカバーが回動する方向に付勢されていることを特徴とする請求項１又は２記載の電子機器。
【請求項７】
前記腕部は弾性部材で形成され、前記腕部は、前記腕部の角度が前記コネクタカバーの収納状態と引き出された状態とで異なる角度となるように形成されていることを特徴とする請求項４記載の電子機器。
【請求項８】
前記一対のテーパ面は、前記コネクタカバーが引き出される方向に向かって前記コネクタカバーの回動角度が徐々に大きくなるように形成されることを特徴とする請求項１乃至７のいずれか１項に記載の電子機器。
【発明の詳細な説明】
【技術分野】
【０００１】
本発明は、撮像装置等の電子機器に関し、特に、外部接続端子を接続するためのコネクタを保護するコネクタカバーを備える電子機器に関する。
【背景技術】
【０００２】
従来、電子機器においては、他の電子機器との通信を行うために、外部接続端子と接続されるコネクタが電子機器本体に内蔵されている。そして、電子機器本体には、前記外部接続端子が接続されるコネクタの入り口を露出するための開口部が設けられている。また、コネクタの不使用時に前記コネクタの保護、防塵などを図るために、前記開口部を封鎖するコネクタカバーが装備される。
【０００３】
外部接続端子をコネクタに接続する際には、コネクタカバーと一体的に成形された弾性部材を弾性変形させて、外部接続端子のコネクタの入り口を露出させる。しかし、コネクタカバーは、弾性変形に伴って弾性復帰力を発揮するので、外部接続端子をコネクタに接続するためには、コネクタカバーを弾性復帰力に対抗して、弾性変形させた状態に保持する必要があり、使用者の一方の手が塞がれることになる。したがって、コネクタを外部接続端子に接続する作業が困難になり、電子機器本体を確実に保持しながら作業を行わなければ、電子機器本体を誤って落下させてしまう恐れがある。また、外部接続端子を装着させた状態では、コネクタカバーに常に負荷が掛かっていることになる。したがって、外部接続端子が長時間コネクタに装着される場合は、コネクタカバーが破損する危険性がある。
【０００４】
また、コネクタカバーに回転軸を設け、軸方向にコネクタカバーを引き出すことを第一動作とし、その後コネクタカバーをその軸を中心として回動させることを第二動作として、外部接続端子のコネクタの入り口を露出させる方法が提案されている（特許文献１参照）。
【特許文献１】特開２００５−２４２８６５号公報
【発明の開示】
【発明が解決しようとする課題】
【０００５】
しかしながら、上記従来の方法では、外部接続端子を接続するために、コネクタカバーの引き出し及び回動という２段階の動作を行う必要があり、その操作が煩わしいという問題がある。特に、コネクタカバーを回動させる動作が煩わしく感じられることがあり、コネクタカバーを容易に回動することができない場合に、誤って電子機器本体を落下させて本体を破損させてしまう可能性がある。さらに、外部接続端子を外してコネクタカバーを開口部に収納する場合、コネクタカバーは、開口部に収容される位置から所定角度回動した位置にあるため、使用者がコネクタカバーを所定角度回動して元の位置に戻す必要があるため、その作業が煩雑である。さらに、電子機器本体を確実に保持しながら作業を行わなければ、電子機器本体を誤って落下させてしまう恐れがある。
【０００６】
本発明の目的は、コネクタカバーの操作性を向上することができる電子機器を提供することにある。
【課題を解決するための手段】
【０００７】
上記目的を達成するために、本発明は、外部接続端子を接続するコネクタを有する電子機器において、前記コネクタの開口部を保護するコネクタカバーと、前記電子機器に関して前記コネクタカバーを進退可能にガイドするガイド部材を備え、前記ガイド部材は、前記コネクタカバーと係合することにより前記コネクタカバーの回動を規制する回動規制面を有することを特徴とする。
【発明の効果】
【０００８】
本発明によれば、電子機器に関してコネクタカバーを進退可能にガイドするガイド部材を備え、ガイド部材は、コネクタカバーと係合することによりコネクタカバーの回動を規制する回動規制面を有する。コネクタカバーが引き出されることにより、回動規制面との係合によってコネクタカバーが回動し、電子機器本体のコネクタの開口部を露出することが可能となる。すなわち、コネクタカバーを引き出してさらに回転させるという余計な手間をかけることなく、容易に外部接続端子を装着することができ、もってコネクタカバーの操作性を向上することができる。また、コネクタカバーが引き出されるだけでコネクタの開口部が露出するため、外部接続端子がコネクタに装着されている状態では、前記コネクタカバーに余計な負荷が掛からず、コネクタカバーが破損することを防止することができる。さらに、回動規制面は、コネクタカバーと係合することによりコネクタカバーの回動を規制するので、コネクタカバーを収納位置に戻す際にはコネクタカバーを電子機器本体に押し込むだけで、コネクタカバーは回動規制面に沿って回動し、収納位置に収納される。したがって、余計な手間がかからず、誤って電子機器を落下させる可能性も低くなる。
【発明を実施するための最良の形態】
【０００９】
以下、本発明の実施の形態を図面を参照しながら詳細に説明する。
【００１０】
図１は、本発明の実施の形態に係る電子機器としてのデジタルカメラの構成を示す外観図である。
【００１１】
図１において、２１は、被写体を確認したり、写真の構図を確認するためのファインダであり、２２は、ライブ画像表示用、または撮影画像確認用の画像表示ＬＣＤ部であり、２３はポップアップ式のストロボ部である。２４は、撮影モードや再生モード等の切り替えを行うモードダイヤル部であり、２５は、撮影準備、及び撮影開始を指示するためのレリーズ部であり、２６は本体グリップ部であり、２は後述するコネクタを保護するコネクタカバーである。
【００１２】
図２は、図１におけるコネクタカバー２近傍の断面図である。
【００１３】
図２において、１は外部機器と通信を行う際にケーブル等の外部接続端子を接続するコネクタであり、２はコネクタ１の開口部１ａを保護するコネクタカバーであり、４はデジタルカメラに関してコネクタカバー２を進退可能にガイドするガイド部材であり、また、６はコネクタカバー２が引き出される最終位置を規定する本体カバーである。６ａは、本体カバー６に形成されコネクタ１の開口部１ａが嵌め込まれる孔であり、６ｂは、本体カバー６に形成され後述するコネクタカバー２の軸部材２ａが挿通される孔である。尚、図２中の矢印Ａは、コネクタカバー２が引き出される方向を示す。
【００１４】
図３は、図２におけるガイド部材４の構成を示す図であり、（ａ）は斜視図であり、（ｂ）は（ａ）における矢印Ｂ方向から見た側面図である。
【００１５】
図３（ａ）及び（ｂ）において、４ｂは、ガイド部材４内部に略水平方向に形成され、後述する軸部材２ａ及び腕部２ｃが挿入されるガイド溝（溝部）であり、４ａはコネクタカバー２と係合することによりコネクタカバー２の回動を規制する回動規制面である。回動規制面４ａは、ガイド溝４ｂの内周面に設けられ軸部材２ａの軸に関して互いに対称となるように形成された一対のテーパ面４ａ′，４ａ″を有し、一対のテーパ面４ａ′，４ａ″は、コネクタカバー２が引き出される際に、外部接続端子が装着可能となる角度までコネクタカバー２を回動するように形成される。
【００１６】
また、一対のテーパ面４ａ′，４ａ″は、コネクタカバー２が引き出される方向に向かってコネクタカバー２の回動角度が徐々に大きくなるように形成される。具体的には、一対のテーパ面４ａ′，４ａ″は、夫々コネクタカバー２を引き出す方向（図２中の矢印Ａ方向）に向かって徐々に傾斜しており、且つコネクタカバー２が回動する方向に関して徐々に傾斜している。尚、一対のテーパ面４ａ′，４ａ″の傾斜角度は、コネクタカバー２を引き出す方向に関して一定であってもよいし、徐々に大きくなるものであってもよい。また、一対のテーパ面４ａ′，４ａ″の傾斜角度は、コネクタカバー２が回動する方向に関して一定であってもよいし、徐々に大きくなるものであってもよい。
【００１７】
図４は、図２におけるコネクタカバー２の構成を示す図であり、（ａ）は平面図であり、（ｂ）は斜視図である。
【００１８】
図４（ａ）において、コネクタカバー２は、コネクタ１の開口部１ａをカバーする略平板形状のカバー本体２ｂと、カバー本体２ｂに略直角に取り付けられ、デジタルカメラから引き出される方向に延出する軸部材２ａと、軸部材２ａと一体的に設けられ、軸部材２ａの引き出し方向（図２中の矢印Ａ方向）に関して略直角方向に延出する腕部２ｃとを有する。本実施の形態では、腕部２ｃは略水平方向に延出している。また、軸部材２ａは、弾性部材で形成される。尚、腕部２ｃは、軸部材２ａと同一の弾性部材で形成されてもよい。
【００１９】
本体グリップ部２６の外側面には、カバー本体２ｂが嵌め込まれる凹部７１が設けられる（図６参照）。コネクタカバー２が収納位置にあるとき、カバー本体２ｂが凹部７１に嵌め込まれ、コネクタカバー２が収納位置で固定される。
【００２０】
カバー本体２ｂの外側面には、断面略Ｌ型に切り取られた切り欠き部２ｅが形成されている。また、腕部２ｃの先端部には、ガイド溝４ｂと係合する突起部２ｄが設けられる。
【００２１】
コネクタカバー２の重心は、コネクタカバー２を引き出した際に軸部材２ａを中心としてコネクタカバー２が自重により回動する位置に配置される。
【００２２】
図４（ｂ）に示すように、コネクタカバー２が回動軸Ｘに略平行な方向に引き出されると、コネクタカバー２は回動軸Ｘに関して矢印Ｃ方向に回動することが可能となる（図４（ｂ））。コネクタカバー２は、コネクタカバー２がデジタルカメラから引き出された際に、腕部２ｃが回動規制面４ａを摺動することにより、軸部材２ａに関して所定量回動する。コネクタカバー２が所定量回動すると、コネクタ１の開口部１ａが露出し、コネクタ１にケーブルの外部接続端子を接続することが可能になる。このコネクタカバー２の開閉機構を、図５を用いて以下に詳述する。
【００２３】
図５は、コネクタカバー２の開閉機構を説明する図であり、（ａ）は、コネクタカバー２が収納されている状態を示す斜視図であり、（ｂ）は、コネクタカバー２が引き出された状態を示す斜視図である。
【００２４】
デジタルカメラの使用時は、通常、コネクタ１に外部接続端子が接続されていないため、コネクタカバー２はガイド部材４のガイド溝４ｂに収納されている（収納位置）（図５（ａ））。使用者が切り欠き部２ｅを利用してコネクタカバー２を矢印Ａ方向に引き出すと、コネクタカバー２は収納位置から移動し、腕部２ｃがテーパ面４ａ′，４ａ″に当接する。腕部２ｃが一対のテーパ面４ａ′，４ａ″に当接すると、コネクタカバー２の重心位置が軸部材２ａの中心、すなわち回動軸Ｘに配置されているため、コネクタカバー２の自重により矢印Ｃ方向に回動する（図５（ｂ））。
【００２５】
図６は、コネクタカバー２がガイド溝４ｂに収納されている位置（１）から最終位置（４）まで移動する一連の流れを示す図である。
【００２６】
図６において、コネクタカバー２は、収納位置（初期位置）（１）から矢印Ａ方向に引き出されると、矢印Ｃ方向に回動し、位置（２）及び位置（３）を経て最終位置（４）に至る。位置（２）及び位置（３）ではコネクタ１の開口部１ａが一部露出しており、最終位置（４）では、コネクタ１の開口部１ａが完全に露出する。コネクタカバー２が最終位置（４）にある状態で、ケーブル等の外部接続端子が脱着される。
【００２７】
一方、コネクタカバー２を収納する場合は、コネクタ１の開口部１ａが露出している最終位置（４）から収納位置（１）までコネクタカバー２を押していくだけでよい。すなわち、コネクタカバー２が矢印Ａ方向と逆方向に押されると、腕部２ｃが一対のテーパ面４ａ′，４ａ″に当接しながらガイド溝４ｂに沿って内部に入り込み、コネクタカバー２は矢印Ｃ方向とは逆方向に自動的に回転し、コネクタカバー２は収納位置に収納される。
【００２８】
本実施の形態によれば、デジタルカメラに関してコネクタカバー２を進退可能にガイドするガイド部材４を備え、ガイド部材４は、コネクタカバー２と係合することによりコネクタカバー２の回動を規制する回動規制面４ａを有する。コネクタカバー２が引き出されることにより、回動規制面４ａとの係合によってコネクタカバー２が回動し、デジタルカメラ本体のコネクタ１の開口部１ａを露出することが可能となる。すなわち、コネクタカバー２を引き出してさらに回転させるという余計な手間をかけることなく、容易に外部接続端子を装着することができ、もってコネクタカバー２の操作性を向上することができる。また、コネクタカバー２が引き出されるだけでコネクタ１の開口部１ａが露出するため、外部接続端子がコネクタ１に装着されている状態では、コネクタカバー２に余計な負荷が掛からず、コネクタカバー２が破損することを防止することができる。さらに、回動規制面４ａは、コネクタカバー２と係合することによりコネクタカバー２の回動を規制するので、コネクタカバー２を収納位置に戻す際にはコネクタカバー２をデジタルカメラに押し込むだけで、コネクタカバー２は回動規制面４ａに沿って回動し、収納位置に収納される。したがって、余計な手間がかからず、誤って電子機器を落下させる可能性も低くなる。
【００２９】
本実施の形態では、本体グリップ部２６の外側面には、カバー本体２ｂが嵌め込まれる凹部７１が設けられるが、これに限るものではなく、本体グリップ部２６の外側面に凹部７１が設けられることなく、カバー本体２ｂが本体グリップ部２６から突出した状態で固定されてもよい。これにより、コネクタカバー２を容易に引き出すことができる。
【００３０】
また、本実施の形態では、腕部２ｃは水平方向に延出しているが、これに限るものでなく、図７に示すように、腕部２ｃは、水平方向に関して所定角度回動方向に傾いた方向に延出していてもよい。すなわち、軸部材２ａは弾性部材で形成され、腕部２ｃは、腕部２ｃの角度がコネクタカバー２の収納状態と引き出された状態とで異なる角度となるように形成される。この構成において、収納時には、軸部材２ａを回動方向と逆方向にねじりながら、腕部２ｃをガイド溝４ｂに沿って挿入する。これにより、コネクタカバー２は、収納位置では軸部材２ａの弾性力により前記コネクタカバー２が回動する方向に付勢され、収納位置から引き出すことでカバー本体２ｂを自動的に回動することができる。
【図面の簡単な説明】
【００３１】
【図１】本発明の実施の形態に係る電子機器としてのデジタルカメラの構成を示す外観図である。
【図２】図１におけるコネクタカバー近傍の断面図である。
【図３】図２におけるガイド部材の構成を示す図であり、（ａ）は斜視図であり、（ｂ）は（ａ）における矢印Ｂ方向から見た側面図である。
【図４】図２におけるコネクタカバーの構成を示す図であり、（ａ）は平面図であり、（ｂ）は斜視図である。
【図５】コネクタカバーの開閉機構を説明する図であり、（ａ）は、コネクタカバーが収納されている状態を示す斜視図であり、（ｂ）は、コネクタカバーが引き出された状態を示す斜視図である。
【図６】コネクタカバーがガイド溝４ｂに収納されている位置（１）から最終位置（４）まで移動する一連の流れを示す図である。
【図７】図４における腕部の変形例を示す図である。
【符号の説明】
【００３２】
１  コネクタ
２  コネクタカバー
２ａ  軸部材
２ｂ  カバー本体
２ｃ  腕部
４  ガイド部材
４ａ  回動規制面
４ｂ  ガイド溝
４ａ′，４ａ″  一対のテーパ面
【図１】
2008277052.tif 000003
【図２】
2008277052.tif 000004
【図３】
2008277052.tif 000005
【図４】
2008277052.tif 000006
【図５】
2008277052.tif 000007
【図６】
2008277052.tif 000008
【図７】
2008277052.tif 000009